(57)【要約】  デジタル化された新聞、雑誌、書籍等のコンテンツからなる電子書籍を作成する際の電子書籍作成システム１を提供することを目的とする。  電子書籍データを作成する為のコンテンツを取り込むコンテンツ取込手段２と、取り込んだコンテンツから選択された少なくとも一つのコンテンツを基本コンテンツとし、そこに取り込んだコンテンツを編集対象コンテンツとして貼り付ける領域を確保することで電子書籍データを作成し、領域の位置情報と編集対象コンテンツのファイル名とを、コンテンツ位置ファイル５として出力する電子書籍編集手段３と、作成した電子書籍データを複数のサイズに変換して出力する電子書籍サイズ変換手段４と、を有する電子書籍作成システム１である。
2005101232.tif 000002
【特許請求の範囲】
【請求項１】
電子書籍データを作成する電子書籍作成システムであって、
前記電子書籍データを作成する為のコンテンツを取り込むコンテンツ取込手段と、
前記取り込んだコンテンツから選択された少なくとも一つのコンテンツを基本コンテンツとし、そこに前記取り込んだコンテンツを編集対象コンテンツとして貼り付ける領域を確保することで電子書籍データを作成し、前記領域の位置情報と前記編集対象コンテンツのファイル名とを、コンテンツ位置ファイルとして出力する電子書籍編集手段と、
前記作成した電子書籍データを複数のサイズに変換して出力する電子書籍サイズ変換手段と、
を有することを特徴とする電子書籍作成システム。
【請求項２】
前記電子書籍サイズ変換手段は、
前記作成した電子書籍データのオリジナルを最大のサイズとして、それより小さいサイズの電子書籍データに変換する、
ことを特徴とする請求の範囲１に記載の電子書籍作成システム。
【請求項３】
前記サイズは、前記電子書籍データの大きさ、解像度のいずれか一以上を含む、
ことを特徴とする請求の範囲１又は請求の範囲２に記載の電子書籍作成システム。
【請求項４】
前記電子書籍編集手段は、
ユーザの利用する入力装置から前記電子書籍データの修正を行う旨の情報を受信した場合に、前記電子書籍データに対応する前記コンテンツ位置ファイルを読み出し、修正が行われたコンテンツの領域の位置情報とファイル名とを前記読み出したコンテンツ位置ファイルに更新して記録する、
ことを特徴とする請求の範囲１に記載の電子書籍作成システム。
【請求項５】
前記コンテンツとして、静止画データ、動画データ、音楽データ、テキストデータ、アニメーションデータのうち、いずれか一以上を含む、
ことを特徴とする請求の範囲１に記載の電子書籍作成システム。
【請求項６】
データを記憶する記憶部とプログラムの処理を実行する処理演算部とを有するコンピュータ端末で実行する電子書籍作成プログラムであって、前記電子書籍作成プログラムは、コンテンツ取込機能と電子書籍編集機能と電子書籍サイズ変換機能とを有しており、
前記コンテンツ取込機能は、
前記電子書籍データを作成する為のコンテンツを取り込み、前記記憶部に記憶し、
前記電子書籍編集機能は、
前記記憶部に記憶したコンテンツから選択された少なくとも一つのコンテンツを基本コンテンツとし、そこに前記取り込んだコンテンツを編集対象コンテンツとして貼り付ける領域を確保することで電子書籍データを作成し前記記憶部に記憶し、前記領域の位置情報と前記編集対象コンテンツのファイル名とを、コンテンツ位置ファイルとして前記記憶部に記憶し、
前記電子書籍サイズ変換機能は、
前記記憶部に記憶した電子書籍データを複数のサイズに変換して出力する、
ことを特徴とする電子書籍作成プログラム。
【請求項７】
データを記憶する記憶部とプログラムの処理を実行する処理演算部とを有するコンピュータ端末で実行する電子書籍作成プログラムを記録した記録媒体であって、前記電子書籍作成プログラムは、コンテンツ取込機能と電子書籍編集機能と電子書籍サイズ変換機能とを有しており、
前記コンテンツ取込機能は、
前記電子書籍データを作成する為のコンテンツを取り込み、前記記憶部に記憶し、
前記電子書籍編集機能は、
前記記憶部に記憶したコンテンツから選択された少なくとも一つのコンテンツを基本コンテンツとし、そこに前記取り込んだコンテンツを編集対象コンテンツとして貼り付ける領域を確保することで電子書籍データを作成し前記記憶部に記憶し、前記領域の位置情報と前記編集対象コンテンツのファイル名とを、コンテンツ位置ファイルとして前記記憶部に記憶し、
前記電子書籍サイズ変換機能は、
前記記憶部に記憶した電子書籍データを複数のサイズに変換して出力する、
ことを特徴とする電子書籍作成プログラムを記録した記録媒体。
【発明の詳細な説明】
【技術分野】  本発明は、デジタル化された新聞、雑誌、書籍等のコンテンツからなる電子書籍を作成する際の電子書籍作成システムに関する。
【背景技術】  コンピュータ技術の発達に伴い、新聞、雑誌、書籍等のコンテンツをデジタル化し、それを所謂電子書籍としてネットワークによりユーザに提供する電子書籍作成システムが特許文献１（特開２００３−３３１１４２号公報）、特許文献２（特開２００３−１３２２３０号公報）、特許文献３（特開２００２−１８３２０７号公報）、特許文献４（特開２００１−２２２５４０号公報）を代表として、複数開示されている。
このようなシステムは、従来のように印刷物としてユーザに提供するのではなく、そのコンテンツの一部に動画や音楽データ等を含めてユーザに提供できることから、利用者の興味を惹起することが出来る点で、近年、注目を浴びている。
【発明の開示】
電子書籍は、利用者に対して静的及び動的なコンテンツの双方を提供できる点で優れており、又、利用者がある箇所を拡大表示したいと思った場合にも拡大表示でき、利便性に優れている。
しかし特許文献３に代表されるように、従来の電子書籍では、利用者が拡大したい箇所を表示する場合、その電子書籍を構成するオリジナルのコンテンツをそのまま拡大表示している。従って、単に拡大表示しているに過ぎないので、コンテンツの解像度が低い場合には、滑らかで綺麗な画像で表示することが出来ない。これは、利用者の閲覧意識を削ぐことに繋がる。
又、電子書籍を作成する際には様々なソフトウェアがあり、例えばアドビシステムズ社の「Ａｄｏｂｅ（登録商標）Ｉｌｌｕｓｔｒａｔｏｒ（登録商標）」が代表的なソフトウェアである。そして、これらのソフトウェアを用いて電子書籍を作成する場合には、様々なコンテンツ（テキストデータ、音楽データ、動画データ等）をコンピュータ端末に取込み、加工することによって作成しているが、その電子書籍を完成後に、再度修正を施したい、コンテンツの一部を他のコンテンツに変更したい、との要望が発生する場合もある。
このような場合、従来はもう一度最初からデジタルコンテンツを作成し直さなければならない。
例えばコンテンツに動画データや音声データを貼り付けたものを電子書籍として完成させた後、その背景画データを一部修正したい場合には、上述の、例えば「Ａｄｏｂｅ（登録商標）Ｉｌｌｕｓｔｒａｔｏｒ（登録商標）」で背景画データを修正後、再度当該背景がデータに動画データや音声データを貼り付ける作業を行わなくてはならない。
つまり実質的には再度電子書籍を作成する作業を行う必要があり、電子書籍を作成する場合の作業、時間、コストに負担が大きい。
本発明者は上述の問題点に鑑み、電子書籍データを作成する場合に作成者が修正作業等を行い易く、且つ、利用者が電子書籍データのデジタルコンテンツを拡大表示した場合にも滑らかで綺麗な画像で表示することが可能な電子書籍を作成する電子書籍作成システムを発明した。
請求の範囲１の発明は、電子書籍データを作成する電子書籍作成システムであって、前記電子書籍データを作成する為のコンテンツを取り込むコンテンツ取込手段と、前記取り込んだコンテンツから選択された少なくとも一つのコンテンツを基本コンテンツとし、そこに前記取り込んだコンテンツを編集対象コンテンツとして貼り付ける領域を確保することで電子書籍データを作成し、前記領域の位置情報と前記編集対象コンテンツのファイル名とを、コンテンツ位置ファイルとして出力する電子書籍編集手段と、前記作成した電子書籍データを複数のサイズに変換して出力する電子書籍サイズ変換手段と、を有する電子書籍作成システムである。
本発明によって、従来の問題点を解消し、電子書籍データを作成する場合に作成者が修正作業等を行い易く、且つ、利用者が電子書籍データのデジタルコンテンツを拡大表示した場合にも滑らかで綺麗な画像データで表示することが可能となる。
請求の範囲２の発明は、前記電子書籍サイズ変換手段は、前記作成した電子書籍データのオリジナルを最大のサイズとして、それより小さいサイズの電子書籍データに変換する、電子書籍作成システムである。
オリジナルを最大のサイズとし、それより小さいサイズを電子書籍データとすることによって、閲覧者が拡大表示をした際にも、滑らかで綺麗な画像データとして表示することが出来る。
請求の範囲３の発明は、前記サイズは、前記電子書籍データの大きさ、解像度のいずれか一以上を含む、電子書籍作成システムである。
サイズを小さくする際には、大きさのみならずその解像度を小さくしても良い。解像度を小さくすることによって、データ量を減らすことが出来るからである。
請求の範囲４の発明は、前記電子書籍編集手段は、ユーザの利用する入力装置から前記電子書籍データの修正を行う旨の情報を受信した場合に、前記電子書籍データに対応する前記コンテンツ位置ファイルを読み出し、修正が行われたコンテンツの領域の位置情報とファイル名とを前記読み出したコンテンツ位置ファイルに更新して記録する、電子書籍作成システムである。
コンテンツ位置ファイルを用いることによって、修正の際に、従来のように最初から作業を行う必要がなくなる。
請求の範囲５の発明は、前記コンテンツとして、静止画データ、動画データ、音楽データ、テキストデータ、アニメーションデータのうち、いずれか一以上を含む、電子書籍作成システムである。
コンテンツのデータ形式としては、上述のような形式を用いることが出来る。
請求の範囲６の発明は、データを記憶する記憶部とプログラムの処理を実行する処理演算部とを有するコンピュータ端末で実行する電子書籍作成プログラムであって、前記電子書籍作成プログラムは、コンテンツ取込機能と電子書籍編集機能と電子書籍サイズ変換機能とを有しており、前記コンテンツ取込機能は、前記電子書籍データを作成する為のコンテンツを取り込み、前記記憶部に記憶し、前記電子書籍編集機能は、前記記憶部に記憶したコンテンツから選択された少なくとも一つのコンテンツを基本コンテンツとし、そこに前記取り込んだコンテンツを編集対象コンテンツとして貼り付ける領域を確保することで電子書籍データを作成し前記記憶部に記憶し、前記領域の位置情報と前記編集対象コンテンツのファイル名とを、コンテンツ位置ファイルとして前記記憶部に記憶し、前記電子書籍サイズ変換機能は、前記記憶部に記憶した電子書籍データを複数のサイズに変換して出力する、電子書籍作成プログラムである。
上述の電子書籍作成システムは、プログラムとしてネットワークからダウンロードされ、それがコンピュータ端末に読み込まれることによって実現されても良い。
請求の範囲７の発明は、データを記憶する記憶部とプログラムの処理を実行する処理演算部とを有するコンピュータ端末で実行する電子書籍作成プログラムを記録した記録媒体であって、前記電子書籍作成プログラムは、コンテンツ取込機能と電子書籍編集機能と電子書籍サイズ変換機能とを有しており、前記コンテンツ取込機能は、前記電子書籍データを作成する為のコンテンツを取り込み、前記記憶部に記憶し、前記電子書籍編集機能は、前記記憶部に記憶したコンテンツから選択された少なくとも一つのコンテンツを基本コンテンツとし、そこに前記取り込んだコンテンツを編集対象コンテンツとして貼り付ける領域を確保することで電子書籍データを作成し前記記憶部に記憶し、前記領域の位置情報と前記編集対象コンテンツのファイル名とを、コンテンツ位置ファイルとして前記記憶部に記憶し、前記電子書籍サイズ変換機能は、前記記憶部に記憶した電子書籍データを複数のサイズに変換して出力する、電子書籍作成プログラムを記録した記録媒体である。
上述の電子書籍作成システムは、そのプログラムを記録した記録媒体がコンピュータ端末に読み込まれることによって実現されても良い。
【図面の簡単な説明】  第１図は、本発明のシステム構成の一例を示すシステム構成図である。第２図は、本発明の処理プロセスの流れの一例を示すフローチャート図である。第３図は、電子書籍を作成する処理プロセスの流れの一例を示すフローチャート図である。第４図は、基本コンテンツの一例を示す図である。第５図は、コンテンツ位置ファイルの一例を示す図である。第６図は、基本コンテンツに動画データを貼り付けた一例を示す図である。第７図は、図６に更にリンク先のＵＲＬを貼り付けた一例を示す図である。第８図は、新たな基本コンテンツを貼り付けた一例を示す図である。第９図は、編集後のコンテンツ位置ファイルの一例を示す図である。第１０図は、新たな基本コンテンツに修正した電子書籍データの一例を示す図である。第１１図は、新たな動画データに修正した一例を示す図である。第１２図は、図１０の動画データを修正した電子書籍データの一例を示す図である。
【符号の説明】
１：電子書籍作成システム
２：コンテンツ取込手段
３：電子書籍編集手段
４：電子書籍サイズ変換手段
５：コンテンツ位置ファイル
６：標準電子書籍データ
７：縮小電子書籍データ
８：準拡大電子書籍データ
９：拡大電子書籍データ
【発明を実施するための最良の形態】  本発明の電子書籍作成システム１のシステム構成の一例であるシステム構成図を図１に示す。電子書籍作成システム１は、コンテンツ取込手段２と電子書籍編集手段３と電子書籍サイズ変換手段４とを有している。尚、本明細書に於いては、複数のコンテンツにより成立するデータを電子書籍データとする。従って電子書籍データを構成する各ページには一又は複数のコンテンツが記録されており、一又は複数のページにより電子書籍データは構成されている。
コンテンツ取込手段２は、電子書籍データを作成する為の各種コンテンツを取り込む手段である。このコンテンツとしては、テキストデータ、静止画データ、動画データ、音楽データ、アニメーションデータ、リンク先のＵＲＬデータ等様々なデータ形式で良い。又、電子書籍データの各ページを構成する基本となるコンテンツ（基本コンテンツ）と、その基本コンテンツの上に貼り付ける動画データ、音楽データ等のコンテンツ（編集対象コンテンツ）も取り込むと良い。
本発明の電子書籍作成システム１を用いて、雑誌を電子書籍データにする場合では、雑誌記事が基本コンテンツとなり、映画等を紹介する動画データ、音楽等を紹介する音楽データ、写真等の静止画データ、文字等のテキストデータ、アニメーションデータ等が編集対象コンテンツとして、当該基本コンテンツの上に貼り付けられる。尚、基本コンテンツにも各種のデータ形式のコンテンツを用いることが出来る。
基本コンテンツの一例を図４に示す。この基本コンテンツは映画に主演するタレントのインタビュー記事であって、その上段にタレントの顔写真、下段にインタビュー記事が記録されたコンテンツである。又、上記基本コンテンツに貼り付ける編集対象コンテンツとして、その映画の予告編等の動画データ、その映画の公式サイトへリンクするＵＲＬデータとする。
電子書籍編集手段３は、コンテンツ取込手段２で取り込んだ基本コンテンツに、編集対象コンテンツを貼り付ける手段である。この際に電子書籍編集手段３は、基本コンテンツの原点を決めて、当該編集対象コンテンツを基本コンテンツのどの座標に貼り付けたかをファイルに、コンテンツ位置ファイル５として出力する。
コンテンツ位置ファイル５の一例を図５に示す。コンテンツ位置ファイル５は、ファイル形式、識別名、基本コンテンツ内の相対座標（ｘ座標）、基本コンテンツ内の相対座標（ｙ座標）、幅、高さ、ファイル名を記録している。ファイル形式とは、編集対象コンテンツのファイル形式であって、テキストデータ、静止画データ、動画データ、音楽データ、アニメーションデータ、リンク先のＵＲＬデータのファイル形式を識別する。識別名とは、当該編集対象コンテンツを電子書籍内で識別する識別名称であって、例えばＵＲＬ１、ＵＲＬ２、動画データ１、動画データ２、音楽データ１、音楽データ２のように記録される。
ｘ座標、ｙ座標は、基本コンテンツの所定の原点を基準として、編集対象コンテンツの所定の位置がどの座標を有するかを規定したものである。例えばコンテンツの左上の角をｘ座標、ｙ座標の原点とし、下に向かって正方向、右に向かって正方向の座標をとるとすると、図６に示すように、動画データの左上の角が（３０，５００）であった場合、コンテンツ位置データファイルの、基本コンテンツ内の相対座標（ｘ座標）、基本コンテンツ内の相対座標（ｙ座標）には、各々ｘ＝３０、ｙ＝５００となる。
そしてコンテンツ位置データファイルの幅、高さは、編集対象コンテンツの幅、高さである。ファイル名はコンテンツ取込手段２で取り込んだ編集対象コンテンツのファイル名（若しくはリンク先のＵＲＬ）である。取り込んだ動画データのファイル名が「ｍｏｖｉｅ１」というファイル名であればそれが記録される。
一方、リンク先のＵＲＬを編集対象コンテンツとして基本コンテンツに貼り付ける場合には、ユーザが基本コンテンツで貼り付ける領域を選択後、そのリンク先となるＵＲＬを指定する。それらの入力を電子書籍編集手段３で受信すると、その領域の左上の角のｘ座標、ｙ座標を相対座標としてコンテンツ位置データファイルの相対座標として、その領域の幅、高さをコンテンツ位置データファイルの幅、高さとして記録し、そのＵＲＬをコンテンツ位置データファイルのリンク先のＵＲＬとして記録する。
電子書籍サイズ変換手段４は、電子書籍編集手段３で完成させた電子書籍を複数のサイズに変換する手段である。このサイズは、コンテンツ取込手段２が取り込んだ際のコンテンツのサイズを最大として、それより小さいサイズに各コンテンツを縮小する。サイズには４段階設けることが好適であり、電子書籍を閲覧者が最初に閲覧した際に表示される標準サイズ（標準電子書籍データ６）、標準サイズから拡大表示を選択した際に表示される準拡大サイズ（準拡大電子書籍データ８）、準拡大サイズから拡大表示を選択した際に表示される拡大サイズ（拡大電子書籍データ９）、サムネイル表示等として表示される縮小サイズ（縮小電子書籍データ７）がある。尚、このサイズは複数あれば良く、４段階に限定されない。
拡大電子書籍データ９は、コンテンツ取込手段２が取り込んだ際のオリジナルのサイズそのままとし、準拡大電子書籍データ８は例えばオリジナルの３分の２のサイズに縮小し、標準電子書籍データ６は例えばオリジナルの３分の１のサイズに縮小する。そして縮小電子書籍データ７は、標準サイズの３分の１（従ってオリジナルの９分の１）に縮小する。
尚、電子書籍サイズ変換手段４は、単に電子書籍の大きさのみを「サイズ」とするのではなく、解像度を含めても良い。つまり、オリジナルの解像度（拡大電子書籍データ９の解像度）を最大として、準拡大電子書籍データ８の解像度はオリジナル（拡大電子書籍データ９）の３分の２、標準電子書籍データ６の解像度はオリジナル（拡大電子書籍データ９）の３分の１、縮小電子書籍データ７の解像度はオリジナル（拡大電子書籍データ９）の９分の１としても良い。
大きさのみではなく、その解像度も縮小することによって、電子書籍データのデータ量を減らすことが出来る。又、コンテンツ取込手段２で取り込んだ際のオリジナルの解像度を最大とし、閲覧者が最初に閲覧する標準電子書籍データ６をそれよりも解像度が低いものとすることによって、従来の閲覧者が電子書籍の拡大表示をした際に表示されるコンテンツが滑らかに表示されない問題点を解決することが出来る。
更に電子書籍サイズ変換手段４は、サイズ変換をした各電子書籍データを、サーバからユーザのコンピュータ端末に早くダウンロードできるように、更に分割しても良い。本出願人の実験結果によれば、各コンテンツを４４ＫＢ（キロバイト）毎の大きさに分割するとサーバからユーザのコンピュータ端末に早くダウンロードできる結果となっているので、４４ＫＢ（キロバイト）に分割すると良い。
次に本発明の電子書籍作成システム１の処理プロセスの流れの一例を図２及び図３のフローチャート図、図１のシステム構成図とを用いて詳細に説明する。尚、以下の実施例では、上述のように、雑誌を電子書籍データにする場合であって、基本コンテンツの上段にタレントの顔写真、下段にそのインタビュー内容が掲載されたインタビュー記事であり、そこに編集対象コンテンツとして、その映画の予告編等の動画データ、その映画の公式サイトへリンクするＵＲＬデータとする場合を説明する。
本発明の電子書籍作成システム１を用いて電子書籍データの作成を行うユーザは、電子書籍データを作成する為の各種コンテンツを取り込む（Ｓ１００）。このコンテンツの取込は、デジタルデータを取り込んでも良いし、紙媒体をスキャナでデジタル化し、それを取り込んでも良い。
従って、ユーザは、上段にタレントの顔写真、下段にそのインタビュー内容が掲載されたインタビュー記事を基本コンテンツとして、その映画の予告編等の動画データを編集対象コンテンツとしてコンテンツ取込手段２で取り込む。
次にユーザはＳ１００で取り込んだコンテンツに基づいて、電子書籍編集手段３で電子書籍データを作成する（Ｓ１１０）。
具体的には基本コンテンツを指定し、それにどのような編集対象コンテンツを貼り付けるかを、キーボード、マウス等の入力装置により指定する。これら入力装置で入力されたデータは、電子書籍編集手段３で受信する。
まず図４に示した基本コンテンツに、編集対象コンテンツである動画データを貼り付ける場合を説明する。ユーザは、基本コンテンツと当該動画データを選択した後（Ｓ２００、Ｓ２１０）、その貼り付ける領域を基本コンテンツで、入力装置により指定する。
この指定によって、当該動画データが基本コンテンツに貼り付けられる。この際に、電子書籍編集手段３は、貼り付けた動画データの位置情報をコンテンツ位置ファイル５に出力する（Ｓ２２０）。
例えば図６に示すように、動画データの左上の角が（３０，５００）であった場合、コンテンツ位置データファイルの、基本コンテンツ内の相対座標（ｘ座標）、基本コンテンツ内の相対座標（ｙ座標）には、各々ｘ＝３０、ｙ＝５００となる。
そしてコンテンツ位置データファイルの幅、高さは、編集対象コンテンツの幅、高さである。ファイル名はコンテンツ取込手段２で取り込んだ編集対象コンテンツのファイル名（若しくはリンク先のＵＲＬ）である。取り込んだ動画データのファイル名が「ｍｏｖｉｅ１」というファイル名であればそれが記録される。
又、動画データであるので、そのファイル形式は「動画データ」、識別名は「動画データ１」としてコンテンツ位置ファイル５に記録する。
動画データを基本コンテンツに貼り付け後、その映画の公式ホームページのＵＲＬを貼り付ける。
まずユーザは基本コンテンツで貼り付ける領域を入力装置で選択後、そのリンク先となるＵＲＬを入力する。これらの入力は電子書籍編集手段３で受信する。電子書籍編集手段３は、入力装置により指定された領域の左上の角のｘ座標、ｙ座標を基本コンテンツ内の相対座標として、コンテンツ位置データファイルに記録し、その領域の幅、高さも記録する。そして入力されたＵＲＬをコンテンツ位置データファイルのリンク先のＵＲＬとして記録し、リンクを張る。
又、リンク先のＵＲＬデータであるので、そのファイル形式は「リンク」、識別名は「リンク１」としてコンテンツ位置ファイル５に記録する。
このようにして動画データとリンク先が編集対象コンテンツとして基本コンテンツに貼り付けられた編集済みコンテンツを図７に示す。
ユーザは、このように電子書籍の各ページを作成していく（Ｓ２３０）。
電子書籍の各ページを作成後、完成した場合には、その電子書籍データを電子書籍サイズ変換手段４で、複数のサイズに変換をする（Ｓ１３０）。完成した電子書籍データの一例を図７に示す。
電子書籍サイズ変換手段４は、電子書籍編集手段３で作成した電子書籍データをオリジナルのサイズとして、それより小さいサイズに各コンテンツを縮小する。ここでは電子書籍データを拡大電子書籍データ９とし、その３分の２のサイズを準拡大電子書籍データ８とし、拡大電子書籍データ９の３分の１のサイズを標準電子書籍データ６とし、拡大電子書籍データ９の９分の１のサイズを縮小電子書籍データ７として、縮小する。
この際に、電子書籍サイズ変換手段４は、単に電子書籍の幅、高さからなる大きさのみを縮小するのではなく、解像度も小さくして良い。これによって、電子書籍データのデータ量を減らすことも出来る。
更に電子書籍サイズ変換手段４は、サイズ変換をした各電子書籍データを、サーバからユーザのコンピュータ端末に早くダウンロードできるように、更に分割しても良い。例えば各コンテンツを４４ＫＢ（キロバイト）毎の大きさに分割すると良い。
このようにして作成された各電子書籍データを、所定のサーバにアップロードすることによって、閲覧者が閲覧可能になる。閲覧者は、電子書籍データを選択後、標準電子書籍データ６、準拡大電子書籍データ８、拡大電子書籍データ９が閲覧者の端末にダウンロードされる。又、縮小電子書籍データ７は、閲覧者が電子書籍データを選択する際のサムネイル表示として別途閲覧者の端末にダウンロードされると良い。
閲覧者の端末では最初に標準電子書籍データ６が表示される。そして当該標準電子書籍データ６のコンテンツで、閲覧者が拡大を選択すると、当該箇所の準拡大電子書籍データ８が閲覧者端末で表示する。準拡大電子書籍データ８のコンテンツで、閲覧者が更に拡大を選択すると、当該箇所の拡大電子書籍データ９が閲覧端末で表示される。
閲覧者が拡大を選択した位置の拡大表示は、閲覧者が標準サイズで閲覧し、その拡大を選択した場合、標準電子書籍データ６に於ける座標の２倍の座標を中心として表示する。例えば標準電子書籍データ６の（ｘ，ｙ）＝（１００，１００）の位置の拡大表示を選択した場合、標準電子書籍データ６は拡大電子書籍データ９の３分の１のサイズ、準拡大電子書籍データ８は拡大電子書籍データ９の３分の２のサイズであるので、表示すべき準拡大電子書籍データ８の該当箇所はその２倍の座標位置、即ち（ｘ，ｙ）＝（１００×２，１００×２）＝（２００，２００）の座標を中心として表示する。
又、準拡大電子書籍データ８（ｘ，ｙ）＝（２００，２００）の拡大表示を行う場合には、同様に１．５倍（＝１÷２／３倍）の座標位置、即ち（ｘ，ｙ）＝（２００×１．５，２００×１．５）＝（３００，３００）の座標を中心として表示する。
このようにオリジナルとして読み込んだ電子書籍データを、拡大した場合の電子書籍データとして用いることによって、滑らかに画像表示を実現することが出来る。尚、拡大電子書籍データ９を更に拡大したい場合には、当該箇所をソフトウェア処理として、従来と同様に拡大することによって実現する処理プロセスを行えばよい。
完成した電子書籍データのコンテンツの一部修正等を行う場合には、修正を行ったコンテンツをコンテンツ取込手段２から取り込み、それを電子書籍編集手段３で編集する。例えば上述の雑誌の電子書籍データの場合、基本コンテンツのうち、顔写真を映画のワンシーンの写真に変更する場合、上段が映画のワンシーンの写真になったコンテンツを、新たな基本コンテンツとして取り込む。この新たな基本コンテンツを図８に示す。
従来の電子書籍を作成するシステムの場合、このような変更を行うと、新たな基本コンテンツに動画データ、リンク先のＵＲＬ等の編集対象コンテンツを再度貼り付ける必要がある。
しかし本発明の場合、再編集をすることの情報を入力装置から電子書籍編集手段３で受信すると、当該再編集の対象となるコンテンツ位置ファイル５を読み出し、変更したコンテンツの位置データを更新する。例えば図４の基本コンテンツから図８の基本コンテンツに変更した場合、図５のコンテンツ位置ファイル５の基本コンテンツに関する情報を書き換え、図９のコンテンツ位置ファイル５のようにする。
つまり、コンテンツの位置データとして、ファイル名「基本コンテンツ」から「基本コンテンツ２」に変更することによって、基本コンテンツ２の原点からの相対座標に、ファイル名「ｍｏｖｉｅ１」の動画データ、「ｈｔｔｐ：／／○○○○．ｃｏ．ｊｐ」のリンクを自動的に貼り付けて、電子書籍データとして再構成する。
基本コンテンツ以外のコンテンツ、例えば動画データの内容を変更した場合もコンテンツ位置データファイルの動画データを変更すればよい。この状態の電子書籍データを図１０に示す。図９のコンテンツ位置ファイル５に対応する電子書籍データが図１０となる。
更に、コンテンツを貼り付ける領域を移動させる再編集の作業を行った場合も、コンテンツ位置データファイルの、基本コンテンツの原点からの相対座標（ｘ座標、ｙ座標）、幅、高さを変更するだけでよい。
例えば図９のコンテンツ位置データファイルを有するコンテンツのうち、動画データ「ｍｏｖｉｅ１」の貼り付けをやめ、動画データ「ｍｏｖｉｅ２」を基本コンテンツの原点から（ｘ，ｙ）＝（４００，５５０）の位置に貼り付け、その領域として、幅２００、高さ２００とした場合には、電子書籍編集手段３は、コンテンツ位置データファイルを図９から図１１に変更する。この場合の電子書籍データを図１２に示す。
このようにして再編集した電子書籍データを再度電子書籍サイズ変換手段４でサイズ変換をすれば、従来のように、コンテンツの貼り付け等を最初から行わずに、容易に編集することが出来る。
尚、上述した電子書籍作成システム１の処理の内容を記録した電子書籍作成プログラムが光ディスク等の記録媒体に記録され、それがコンピュータ端末に読み込まれることによって、電子書籍作成システム１を実現しても良い。又、当該電子書籍作成プログラムが所定のサーバからネットワークを介してコンピュータ端末にダウンロードされることでコンピュータ端末に読み込まれ、電子書籍作成システム１を実現しても良い。
この場合、電子書籍作成プログラムは、コンテンツ読込手段をコンピュータ端末で実行する機能（モジュールやプログラム。以下同様）と電子書籍編集手段３をコンピュータ端末で実行する機能と電子書籍サイズ変換手段４をコンピュータ端末で実行する機能とを有している。
この電子書籍作成プログラムを記録した記録媒体がコンピュータ端末にセットされ、それがコンピュータ端末に読み込まれることによって、上述の各機能がコンピュータ端末の処理演算部（ＣＰＵやレジスタ等の演算装置）や記憶部（メモリやキャッシュ、ハードディスク等）に読み込まれる。
コンテンツ読込手段は、電子書籍として用いる各種のコンテンツを読み込み、それをコンピュータ端末の記憶部に記憶する。そして処理演算部に読み込まれた電子書籍編集手段３は、記憶部に記憶した各種のコンテンツを読み出し、上述と同様に電子書籍データに編集する。この際に電子書籍データ、コンテンツ位置ファイル５は、記憶部に記憶する。
処理演算部に読み込まれた電子書籍サイズ変換手段４は、記憶部に記憶した電子書籍データを、複数のサイズに変換し、各サイズの電子書籍データ（拡大電子書籍データ９、準拡大電子書籍データ８、標準電子書籍データ６、縮小電子書籍データ７）を記憶部に記憶する。
この記憶部に記憶した各サイズの電子書籍データを、所定のサーバにアップロード（送信）することによって、各閲覧者が当該電子書籍データの閲覧を行うことが出来る。
電子書籍作成プログラムがネットワークからコンピュータ端末にダウンロードされた場合も、電子書籍作成プログラムが記録された記録媒体をコンピュータ端末で実行する場合と同様である。
本発明に於ける各手段は、その機能が論理的に区別されているのみであって、物理上あるいは事実上は同一の領域を為していても良い。又データベースの代わりにデータファイルであっても良いことは言うまでもなく、データベースとの記録にはデータファイルをも含んでいる。
尚、本発明を実施するにあたり本実施態様の機能を実現するソフトウェアのプログラムを記録した記憶媒体をシステムに供給し、そのシステムのコンピュータが記憶媒体に格納されたプログラムを読み出し実行することによって実現されることは当然である。
この場合、記憶媒体から読み出されたプログラム自体が前記した実施態様の機能を実現することとなり、そのプログラムを記憶した記憶媒体は本発明を当然のことながら構成することになる。
プログラムを供給する為の記憶媒体としては、例えば磁気ディスク、ハードディスク、光ディスク、光磁気ディスク、磁気テープ、不揮発性のメモリカード等を使用することができる。
又、コンピュータが読み出したプログラムを実行することにより、上述した実施態様の機能が実現されるだけではなく、そのプログラムの指示に基づき、コンピュータ上で稼働しているオペレーティングシステムなどが実際の処理の一部又は全部を行い、その処理によって前記した実施態様の機能が実現される場合も含まれることは言うまでもない。
更に、記憶媒体から読み出されたプログラムが、コンピュータに挿入された機能拡張ボードやコンピュータに接続された機能拡張ユニットに備わる不揮発性あるいは揮発性の記憶手段に書き込まれた後、そのプログラムの指示に基づき、機能拡張ボードあるいは機能拡張ユニットに備わる演算処理装置などが実際の処理の一部あるいは全部を行い、その処理により前記した実施態様の機能が実現される場合も含まれることは当然である。
【産業上の利用可能性】  本発明により、電子書籍を作成する場合に作成者が修正作業等を行い易く、且つ、利用者が電子書籍のデジタルコンテンツを拡大表示した場合にも滑らかで綺麗な画像で表示することが可能な電子書籍を作成する電子書籍作成システム１が可能となる。
【図１】
2005101232.tif 000003
【図２】
2005101232.tif 000004
【図３】
2005101232.tif 000005
【図４】
2005101232.tif 000006
【図５】
2005101232.tif 000007
【図６】
2005101232.tif 000008
【図７】
2005101232.tif 000009
【図８】
2005101232.tif 000010
【図９】
2005101232.tif 000011
【図１０】
2005101232.tif 000012
【図１１】
2005101232.tif 000013
【図１２】
2005101232.tif 000014
【手続補正書】
【提出日】平成18年12月12日(2006.12.12)
【手続補正１】
【補正対象書類名】特許請求の範囲
【補正対象項目名】全文
【補正方法】変更
【補正の内容】
【特許請求の範囲】
【請求項１】
電子書籍データを作成する電子書籍作成システムであって、
前記電子書籍作成システムは、
前記電子書籍データを作成する為のコンテンツを取り込むコンテンツ取込手段と、
前記取り込んだコンテンツから選択された少なくとも一つのコンテンツを基本コンテンツとし、そこに前記取り込んだコンテンツを編集対象コンテンツとして貼り付ける領域を確保することで電子書籍データを作成し、前記領域の位置情報と前記編集対象コンテンツのファイル名とを、コンテンツ位置ファイルとして出力する電子書籍編集手段と、
前記電子書籍編集手段において作成した電子書籍データについて、該電子書籍データを構成する各コンテンツの幅と高さからなる大きさを縮小することにより、該電子書籍データよりも小さな大きさの電子書籍データを複数生成し、生成したうちの一つの電子書籍データを、閲覧者の端末において最初に表示させる標準電子書籍データと設定して、前記生成した複数の電子書籍データを出力する電子書籍サイズ変換手段と、を有しており、
前記標準電子書籍データが前記閲覧者の端末で表示されている状態において、閲覧者から拡大表示の選択を受け付けると、その拡大表示を受け付けた位置が、前記標準電子書籍データよりも大きな大きさの電子書籍データのどの位置に対応するかを算出した上で、その算出した位置を中心として、前記標準電子書籍データよりも大きな大きさの電子書籍データを、前記閲覧者の端末において表示させる、
ことを特徴とする電子書籍作成システム。
【請求項２】
前記電子書籍サイズ変換手段は、更に、
前記作成した電子書籍データの解像度も該電子書籍データよりも小さくして、複数の大きさの電子書籍データを生成する、
ことを特徴とする請求項１に記載の電子書籍作成システム。
【請求項３】
前記電子書籍編集手段は、
ユーザの利用する入力装置から前記電子書籍データの修正を行う旨の情報を受信した場合に、前記電子書籍データに対応する前記コンテンツ位置ファイルを読み出し、修正が行われたコンテンツの領域の位置情報とファイル名とを前記読み出したコンテンツ位置ファイルに更新して記録する、
ことを特徴とする請求項１に記載の電子書籍作成システム。
【請求項４】
前記コンテンツとして、静止画データ、動画データ、音楽データ、テキストデータ、アニメーションデータのうち、いずれか一以上を含む、
ことを特徴とする請求の範囲１に記載の電子書籍作成システム。
【請求項５】
データを記憶する記憶部とプログラムの処理を実行する処理演算部とを有するコンピュータ端末で実行する電子書籍作成プログラムであって、前記電子書籍作成プログラムは、コンテンツ取込機能と電子書籍編集機能と電子書籍サイズ変換機能とを有しており、
前記コンテンツ取込機能は、
前記電子書籍データを作成する為のコンテンツを取り込み、前記記憶部に記憶し、
前記電子書籍編集機能は、
前記記憶部に記憶したコンテンツから選択された少なくとも一つのコンテンツを基本コンテンツとし、そこに前記取り込んだコンテンツを編集対象コンテンツとして貼り付ける領域を確保することで電子書籍データを作成し前記記憶部に記憶し、前記領域の位置情報と前記編集対象コンテンツのファイル名とを、コンテンツ位置ファイルとして前記記憶部に記憶し、
前記電子書籍サイズ変換機能は、
前記電子書籍編集機能において作成した電子書籍データについて、該電子書籍データを構成する各コンテンツの幅と高さからなる大きさを縮小することにより、該電子書籍データよりも小さな大きさの電子書籍データを複数生成し、生成したうちの一つの電子書籍データを、閲覧者の端末において最初に表示させる標準電子書籍データと設定して、前記生成した複数の電子書籍データを出力する電子書籍作成プログラムであって、更に、
前記標準電子書籍データが前記閲覧者の端末で表示されている状態において、閲覧者から拡大表示の選択を受け付けると、その拡大表示を受け付けた位置が、前記標準電子書籍データよりも大きな大きさの電子書籍データのどの位置に対応するかを算出した上で、その算出した位置を中心として、前記標準電子書籍データよりも大きな大きさの電子書籍データを、前記閲覧者の端末において表示させる、
ことを特徴とする電子書籍作成プログラム。
【請求項６】
データを記憶する記憶部とプログラムの処理を実行する処理演算部とを有するコンピュータ端末で実行する電子書籍作成プログラムを記録した記録媒体であって、前記電子書籍作成プログラムは、コンテンツ取込機能と電子書籍編集機能と電子書籍サイズ変換機能とを有しており、
前記コンテンツ取込機能は、
前記電子書籍データを作成する為のコンテンツを取り込み、前記記憶部に記憶し、
前記電子書籍編集機能は、
前記記憶部に記憶したコンテンツから選択された少なくとも一つのコンテンツを基本コンテンツとし、そこに前記取り込んだコンテンツを編集対象コンテンツとして貼り付ける領域を確保することで電子書籍データを作成し前記記憶部に記憶し、前記領域の位置情報と前記編集対象コンテンツのファイル名とを、コンテンツ位置ファイルとして前記記憶部に記憶し、
前記電子書籍サイズ変換機能は、
前記電子書籍編集機能において作成した電子書籍データについて、該電子書籍データを構成する各コンテンツの幅と高さからなる大きさを縮小することにより、該電子書籍データよりも小さな大きさの電子書籍データを複数生成し、生成したうちの一つの電子書籍データを、閲覧者の端末において最初に表示させる標準電子書籍データと設定して、前記生成した複数の電子書籍データを出力する電子書籍作成プログラムであって、更に、
前記標準電子書籍データが前記閲覧者の端末で表示されている状態において、閲覧者から拡大表示の選択を受け付けると、その拡大表示を受け付けた位置が、前記標準電子書籍データよりも大きな大きさの電子書籍データのどの位置に対応するかを算出した上で、その算出した位置を中心として、前記標準電子書籍データよりも大きな大きさの電子書籍データを、前記閲覧者の端末において表示させる、
ことを特徴とする電子書籍作成プログラムを記録した記録媒体。
【手続補正２】
【補正対象書類名】明細書
【補正対象項目名】全文
【補正方法】変更
【補正の内容】
【発明の詳細な説明】
【技術分野】
【０００１】
本発明は、デジタル化された新聞、雑誌、書籍等のコンテンツからなる電子書籍を作成する際の電子書籍作成システムに関する。
【背景技術】
【０００２】
コンピュータ技術の発達に伴い、新聞、雑誌、書籍等のコンテンツをデジタル化し、それを所謂電子書籍としてネットワークによりユーザに提供する電子書籍作成システムが特許文献１（特開２００３−３３１１４２号公報）、特許文献２（特開２００３−１３２２３０号公報）、特許文献３（特開２００２−１８３２０７号公報）、特許文献４（特開２００１−２２２５４０号公報）を代表として、複数開示されている。
【０００３】
このようなシステムは、従来のように印刷物としてユーザに提供するのではなく、そのコンテンツの一部に動画や音楽データ等を含めてユーザに提供できることから、利用者の興味を惹起することが出来る点で、近年、注目を浴びている。
【０００４】
【特許文献１】特開２００３−３３１１４２号公報
【特許文献２】特開２００３−１３２２３０号公報
【特許文献３】特開２００２−１８３２０７号公報
【特許文献４】特開２００１−２２２５４０号公報
【発明の開示】
【発明が解決しようとする課題】
【０００５】
電子書籍は、利用者に対して静的及び動的なコンテンツの双方を提供できる点で優れており、又、利用者がある箇所を拡大表示したいと思った場合にも拡大表示でき、利便性に優れている。
【０００６】
しかし特許文献３に代表されるように、従来の電子書籍では、利用者が拡大したい箇所を表示する場合、その電子書籍を構成するオリジナルのコンテンツをそのまま拡大表示している。従って、単に拡大表示しているに過ぎないので、コンテンツの解像度が低い場合には、滑らかで綺麗な画像で表示することが出来ない。これは、利用者の閲覧意識を削ぐことに繋がる。
【０００７】
又、電子書籍を作成する際には様々なソフトウェアがあり、例えばアドビシステムズ社の「Adobe（登録商標） Illustrator（登録商標）」が代表的なソフトウェアである。そして、これらのソフトウェアを用いて電子書籍を作成する場合には、様々なコンテンツ（テキストデータ、音楽データ、動画データ等）をコンピュータ端末に取込み、加工することによって作成しているが、その電子書籍を完成後に、再度修正を施したい、コンテンツの一部を他のコンテンツに変更したい、との要望が発生する場合もある。
【０００８】
このような場合、従来はもう一度最初からデジタルコンテンツを作成し直さなければならない。
【０００９】
例えばコンテンツに動画データや音声データを貼り付けたものを電子書籍として完成させた後、その背景画データを一部修正したい場合には、上述の、例えば「Adobe（登録商標） Illustrator（登録商標）」で背景画データを修正後、再度当該背景がデータに動画データや音声データを貼り付ける作業を行わなくてはならない。
【００１０】
つまり実質的には再度電子書籍を作成する作業を行う必要があり、電子書籍を作成する場合の作業、時間、コストに負担が大きい。
【課題を解決するための手段】
【００１１】
本発明者は上述の問題点に鑑み、電子書籍データを作成する場合に作成者が修正作業等を行い易く、且つ、利用者が電子書籍データのデジタルコンテンツを拡大表示した場合にも滑らかで綺麗な画像で表示することが可能な電子書籍を作成する電子書籍作成システムを発明した。
【００１２】
請求項１の発明は、電子書籍データを作成する電子書籍作成システムであって、前記電子書籍作成システムは、前記電子書籍データを作成する為のコンテンツを取り込むコンテンツ取込手段と、前記取り込んだコンテンツから選択された少なくとも一つのコンテンツを基本コンテンツとし、そこに前記取り込んだコンテンツを編集対象コンテンツとして貼り付ける領域を確保することで電子書籍データを作成し、前記領域の位置情報と前記編集対象コンテンツのファイル名とを、コンテンツ位置ファイルとして出力する電子書籍編集手段と、前記電子書籍編集手段において作成した電子書籍データについて、該電子書籍データを構成する各コンテンツの幅と高さからなる大きさを縮小することにより、該電子書籍データよりも小さな大きさの電子書籍データを複数生成し、生成したうちの一つの電子書籍データを、閲覧者の端末において最初に表示させる標準電子書籍データと設定して、前記生成した複数の電子書籍データを出力する電子書籍サイズ変換手段と、を有しており、前記標準電子書籍データが前記閲覧者の端末で表示されている状態において、閲覧者から拡大表示の選択を受け付けると、その拡大表示を受け付けた位置が、前記標準電子書籍データよりも大きな大きさの電子書籍データのどの位置に対応するかを算出した上で、その算出した位置を中心として、前記標準電子書籍データよりも大きな大きさの電子書籍データを、前記閲覧者の端末において表示させる、電子書籍作成システムである。
【００１３】
本発明によって、従来の問題点を解消し、電子書籍データを作成する場合に作成者が修正作業等を行い易く、且つ、利用者が電子書籍データのデジタルコンテンツを拡大表示した場合にも滑らかで綺麗な画像データで表示することが可能となる。
また、オリジナルを最大のサイズとし、それより小さいサイズを電子書籍データとすることによって、閲覧者が拡大表示をした際にも、滑らかで綺麗な画像データとして表示することが出来る。
【００１４】
請求項２の発明において、前記電子書籍サイズ変換手段は、更に、前記作成した電子書籍データの解像度も該電子書籍データよりも小さくして、複数の大きさの電子書籍データを生成する、電子書籍作成システムである。
【００１５】
サイズを小さくする際には、大きさのみならずその解像度を小さくしても良い。解像度を小さくすることによって、データ量を減らすことが出来るからである。
【００１６】
請求項３の発明において、前記電子書籍編集手段は、ユーザの利用する入力装置から前記電子書籍データの修正を行う旨の情報を受信した場合に、前記電子書籍データに対応する前記コンテンツ位置ファイルを読み出し、修正が行われたコンテンツの領域の位置情報とファイル名とを前記読み出したコンテンツ位置ファイルに更新して記録する、電子書籍作成システムである。
【００１７】
コンテンツ位置ファイルを用いることによって、修正の際に、従来のように最初から作業を行う必要がなくなる。
【００１８】
請求項４の発明は、前記コンテンツとして、静止画データ、動画データ、音楽データ、テキストデータ、アニメーションデータのうち、いずれか一以上を含む、電子書籍作成システムである。
【００１９】
コンテンツのデータ形式としては、上述のような形式を用いることが出来る。
【００２０】
請求項５の発明は、データを記憶する記憶部とプログラムの処理を実行する処理演算部とを有するコンピュータ端末で実行する電子書籍作成プログラムであって、前記電子書籍作成プログラムは、コンテンツ取込機能と電子書籍編集機能と電子書籍サイズ変換機能とを有しており、前記コンテンツ取込機能は、前記電子書籍データを作成する為のコンテンツを取り込み、前記記憶部に記憶し、前記電子書籍編集機能は、前記記憶部に記憶したコンテンツから選択された少なくとも一つのコンテンツを基本コンテンツとし、そこに前記取り込んだコンテンツを編集対象コンテンツとして貼り付ける領域を確保することで電子書籍データを作成し前記記憶部に記憶し、前記領域の位置情報と前記編集対象コンテンツのファイル名とを、コンテンツ位置ファイルとして前記記憶部に記憶し、前記電子書籍サイズ変換機能は、前記電子書籍編集機能において作成した電子書籍データについて、該電子書籍データを構成する各コンテンツの幅と高さからなる大きさを縮小することにより、該電子書籍データよりも小さな大きさの電子書籍データを複数生成し、生成したうちの一つの電子書籍データを、閲覧者の端末において最初に表示させる標準電子書籍データと設定して、前記生成した複数の電子書籍データを出力する電子書籍作成プログラムであって、更に、前記標準電子書籍データが前記閲覧者の端末で表示されている状態において、閲覧者から拡大表示の選択を受け付けると、その拡大表示を受け付けた位置が、前記標準電子書籍データよりも大きな大きさの電子書籍データのどの位置に対応するかを算出した上で、その算出した位置を中心として、前記標準電子書籍データよりも大きな大きさの電子書籍データを、前記閲覧者の端末において表示させる、電子書籍作成プログラムである。
【００２１】
上述の電子書籍作成システムは、プログラムとしてネットワークからダウンロードされ、それがコンピュータ端末に読み込まれることによって実現されても良い。
【００２２】
請求項６の発明は、データを記憶する記憶部とプログラムの処理を実行する処理演算部とを有するコンピュータ端末で実行する電子書籍作成プログラムを記録した記録媒体であって、前記電子書籍作成プログラムは、コンテンツ取込機能と電子書籍編集機能と電子書籍サイズ変換機能とを有しており、前記コンテンツ取込機能は、前記電子書籍データを作成する為のコンテンツを取り込み、前記記憶部に記憶し、前記電子書籍編集機能は、前記記憶部に記憶したコンテンツから選択された少なくとも一つのコンテンツを基本コンテンツとし、そこに前記取り込んだコンテンツを編集対象コンテンツとして貼り付ける領域を確保することで電子書籍データを作成し前記記憶部に記憶し、前記領域の位置情報と前記編集対象コンテンツのファイル名とを、コンテンツ位置ファイルとして前記記憶部に記憶し、前記電子書籍サイズ変換機能は、前記電子書籍編集機能において作成した電子書籍データについて、該電子書籍データを構成する各コンテンツの幅と高さからなる大きさを縮小することにより、該電子書籍データよりも小さな大きさの電子書籍データを複数生成し、生成したうちの一つの電子書籍データを、閲覧者の端末において最初に表示させる標準電子書籍データと設定して、前記生成した複数の電子書籍データを出力する電子書籍作成プログラムであって、更に、前記標準電子書籍データが前記閲覧者の端末で表示されている状態において、閲覧者から拡大表示の選択を受け付けると、その拡大表示を受け付けた位置が、前記標準電子書籍データよりも大きな大きさの電子書籍データのどの位置に対応するかを算出した上で、その算出した位置を中心として、前記標準電子書籍データよりも大きな大きさの電子書籍データを、前記閲覧者の端末において表示させる、電子書籍作成プログラムを記録した記録媒体である。
【００２３】
上述の電子書籍作成システムは、そのプログラムを記録した記録媒体がコンピュータ端末に読み込まれることによって実現されても良い。
【発明を実施するための最良の形態】
【００２４】
本発明の電子書籍作成システム１のシステム構成の一例であるシステム構成図を図１に示す。電子書籍作成システム１は、コンテンツ取込手段２と電子書籍編集手段３と電子書籍サイズ変換手段４とを有している。尚、本明細書に於いては、複数のコンテンツにより成立するデータを電子書籍データとする。従って電子書籍データを構成する各ページには一又は複数のコンテンツが記録されており、一又は複数のページにより電子書籍データは構成されている。
【００２５】
コンテンツ取込手段２は、電子書籍データを作成する為の各種コンテンツを取り込む手段である。このコンテンツとしては、テキストデータ、静止画データ、動画データ、音楽データ、アニメーションデータ、リンク先のＵＲＬデータ等様々なデータ形式で良い。又、電子書籍データの各ページを構成する基本となるコンテンツ（基本コンテンツ）と、その基本コンテンツの上に貼り付ける動画データ、音楽データ等のコンテンツ（編集対象コンテンツ）も取り込むと良い。
【００２６】
本発明の電子書籍作成システム１を用いて、雑誌を電子書籍データにする場合では、雑誌記事が基本コンテンツとなり、映画等を紹介する動画データ、音楽等を紹介する音楽データ、写真等の静止画データ、文字等のテキストデータ、アニメーションデータ等が編集対象コンテンツとして、当該基本コンテンツの上に貼り付けられる。尚、基本コンテンツにも各種のデータ形式のコンテンツを用いることが出来る。
【００２７】
基本コンテンツの一例を図４に示す。この基本コンテンツは映画に主演するタレントのインタビュー記事であって、その上段にタレントの顔写真、下段にインタビュー記事が記録されたコンテンツである。又、上記基本コンテンツに貼り付ける編集対象コンテンツとして、その映画の予告編等の動画データ、その映画の公式サイトへリンクするＵＲＬデータとする。
【００２８】
電子書籍編集手段３は、コンテンツ取込手段２で取り込んだ基本コンテンツに、編集対象コンテンツを貼り付ける手段である。この際に電子書籍編集手段３は、基本コンテンツの原点を決めて、当該編集対象コンテンツを基本コンテンツのどの座標に貼り付けたかをファイルに、コンテンツ位置ファイル５として出力する。
【００２９】
コンテンツ位置ファイル５の一例を図５に示す。コンテンツ位置ファイル５は、ファイル形式、識別名、基本コンテンツ内の相対座標（ｘ座標）、基本コンテンツ内の相対座標（ｙ座標）、幅、高さ、ファイル名を記録している。ファイル形式とは、編集対象コンテンツのファイル形式であって、テキストデータ、静止画データ、動画データ、音楽データ、アニメーションデータ、リンク先のＵＲＬデータのファイル形式を識別する。識別名とは、当該編集対象コンテンツを電子書籍内で識別する識別名称であって、例えばＵＲＬ１、ＵＲＬ２、動画データ１、動画データ２、音楽データ１、音楽データ２のように記録される。
【００３０】
ｘ座標、ｙ座標は、基本コンテンツの所定の原点を基準として、編集対象コンテンツの所定の位置がどの座標を有するかを規定したものである。例えばコンテンツの左上の角をｘ座標、ｙ座標の原点とし、下に向かって正方向、右に向かって正方向の座標をとるとすると、図６に示すように、動画データの左上の角が（３０，５００）であった場合、コンテンツ位置データファイルの、基本コンテンツ内の相対座標（ｘ座標）、基本コンテンツ内の相対座標（ｙ座標）には、各々ｘ＝３０、ｙ＝５００となる。
【００３１】
そしてコンテンツ位置データファイルの幅、高さは、編集対象コンテンツの幅、高さである。ファイル名はコンテンツ取込手段２で取り込んだ編集対象コンテンツのファイル名（若しくはリンク先のＵＲＬ）である。取り込んだ動画データのファイル名が「ｍｏｖｉｅ１」というファイル名であればそれが記録される。
【００３２】
一方、リンク先のＵＲＬを編集対象コンテンツとして基本コンテンツに貼り付ける場合には、ユーザが基本コンテンツで貼り付ける領域を選択後、そのリンク先となるＵＲＬを指定する。それらの入力を電子書籍編集手段３で受信すると、その領域の左上の角のｘ座標、ｙ座標を相対座標としてコンテンツ位置データファイルの相対座標として、その領域の幅、高さをコンテンツ位置データファイルの幅、高さとして記録し、そのＵＲＬをコンテンツ位置データファイルのリンク先のＵＲＬとして記録する。
【００３３】
電子書籍サイズ変換手段４は、電子書籍編集手段３で完成させた電子書籍を複数のサイズに変換する手段である。このサイズは、コンテンツ取込手段２が取り込んだ際のコンテンツのサイズを最大として、それより小さいサイズに各コンテンツを縮小する。サイズには４段階設けることが好適であり、電子書籍を閲覧者が最初に閲覧した際に表示される標準サイズ（標準電子書籍データ６）、標準サイズから拡大表示を選択した際に表示される準拡大サイズ（準拡大電子書籍データ８）、準拡大サイズから拡大表示を選択した際に表示される拡大サイズ（拡大電子書籍データ９）、サムネイル表示等として表示される縮小サイズ（縮小電子書籍データ７）がある。尚、このサイズは複数あれば良く、４段階に限定されない。
【００３４】
拡大電子書籍データ９は、コンテンツ取込手段２が取り込んだ際のオリジナルのサイズそのままとし、準拡大電子書籍データ８は例えばオリジナルの３分の２のサイズに縮小し、標準電子書籍データ６は例えばオリジナルの３分の１のサイズに縮小する。そして縮小電子書籍データ７は、標準サイズの３分の１（従ってオリジナルの９分の１）に縮小する。
【００３５】
尚、電子書籍サイズ変換手段４は、単に電子書籍の大きさのみを「サイズ」とするのではなく、解像度を含めても良い。つまり、オリジナルの解像度（拡大電子書籍データ９の解像度）を最大として、準拡大電子書籍データ８の解像度はオリジナル（拡大電子書籍データ９）の３分の２、標準電子書籍データ６の解像度はオリジナル（拡大電子書籍データ９）の３分の１、縮小電子書籍データ７の解像度はオリジナル（拡大電子書籍データ９）の９分の１としても良い。
【００３６】
大きさのみではなく、その解像度も縮小することによって、電子書籍データのデータ量を減らすことが出来る。又、コンテンツ取込手段２で取り込んだ際のオリジナルの解像度を最大とし、閲覧者が最初に閲覧する標準電子書籍データ６をそれよりも解像度が低いものとすることによって、従来の閲覧者が電子書籍の拡大表示をした際に表示されるコンテンツが滑らかに表示されない問題点を解決することが出来る。
【００３７】
更に電子書籍サイズ変換手段４は、サイズ変換をした各電子書籍データを、サーバからユーザのコンピュータ端末に早くダウンロードできるように、更に分割しても良い。本出願人の実験結果によれば、各コンテンツを４４ＫＢ（キロバイト）毎の大きさに分割するとサーバからユーザのコンピュータ端末に早くダウンロードできる結果となっているので、４４ＫＢ（キロバイト）に分割すると良い。
【００３８】
次に本発明の電子書籍作成システム１の処理プロセスの流れの一例を図２及び図３のフローチャート図、図１のシステム構成図とを用いて詳細に説明する。尚、以下の実施例では、上述のように、雑誌を電子書籍データにする場合であって、基本コンテンツの上段にタレントの顔写真、下段にそのインタビュー内容が掲載されたインタビュー記事であり、そこに編集対象コンテンツとして、その映画の予告編等の動画データ、その映画の公式サイトへリンクするＵＲＬデータとする場合を説明する。
【００３９】
本発明の電子書籍作成システム１を用いて電子書籍データの作成を行うユーザは、電子書籍データを作成する為の各種コンテンツを取り込む（Ｓ１００）。このコンテンツの取込は、デジタルデータを取り込んでも良いし、紙媒体をスキャナでデジタル化し、それを取り込んでも良い。
【００４０】
従って、ユーザは、上段にタレントの顔写真、下段にそのインタビュー内容が掲載されたインタビュー記事を基本コンテンツとして、その映画の予告編等の動画データを編集対象コンテンツとしてコンテンツ取込手段２で取り込む。
【００４１】
次にユーザはＳ１００で取り込んだコンテンツに基づいて、電子書籍編集手段３で電子書籍データを作成する（Ｓ１１０）。
【００４２】
具体的には基本コンテンツを指定し、それにどのような編集対象コンテンツを貼り付けるかを、キーボード、マウス等の入力装置により指定する。これら入力装置で入力されたデータは、電子書籍編集手段３で受信する。
【００４３】
まず図４に示した基本コンテンツに、編集対象コンテンツである動画データを貼り付ける場合を説明する。ユーザは、基本コンテンツと当該動画データを選択した後（Ｓ２００、Ｓ２１０）、その貼り付ける領域を基本コンテンツで、入力装置により指定する。
【００４４】
この指定によって、当該動画データが基本コンテンツに貼り付けられる。この際に、電子書籍編集手段３は、貼り付けた動画データの位置情報をコンテンツ位置ファイル５に出力する（Ｓ２２０）。
【００４５】
例えば図６に示すように、動画データの左上の角が（３０，５００）であった場合、コンテンツ位置データファイルの、基本コンテンツ内の相対座標（ｘ座標）、基本コンテンツ内の相対座標（ｙ座標）には、各々ｘ＝３０、ｙ＝５００となる。
【００４６】
そしてコンテンツ位置データファイルの幅、高さは、編集対象コンテンツの幅、高さである。ファイル名はコンテンツ取込手段２で取り込んだ編集対象コンテンツのファイル名（若しくはリンク先のＵＲＬ）である。取り込んだ動画データのファイル名が「ｍｏｖｉｅ１」というファイル名であればそれが記録される。
【００４７】
又、動画データであるので、そのファイル形式は「動画データ」、識別名は「動画データ１」としてコンテンツ位置ファイル５に記録する。
【００４８】
動画データを基本コンテンツに貼り付け後、その映画の公式ホームページのＵＲＬを貼り付ける。
【００４９】
まずユーザは基本コンテンツで貼り付ける領域を入力装置で選択後、そのリンク先となるＵＲＬを入力する。これらの入力は電子書籍編集手段３で受信する。電子書籍編集手段３は、入力装置により指定された領域の左上の角のｘ座標、ｙ座標を基本コンテンツ内の相対座標として、コンテンツ位置データファイルに記録し、その領域の幅、高さも記録する。そして入力されたＵＲＬをコンテンツ位置データファイルのリンク先のＵＲＬとして記録し、リンクを張る。
【００５０】
又、リンク先のＵＲＬデータであるので、そのファイル形式は「リンク」、識別名は「リンク１」としてコンテンツ位置ファイル５に記録する。
【００５１】
このようにして動画データとリンク先が編集対象コンテンツとして基本コンテンツに貼り付けられた編集済みコンテンツを図７に示す。
【００５２】
ユーザは、このように電子書籍の各ページを作成していく（Ｓ２３０）。
電子書籍の各ページを作成後、完成した場合には、その電子書籍データを電子書籍サイズ変換手段４で、複数のサイズに変換をする（Ｓ１３０）。完成した電子書籍データの一例を図７に示す。
【００５３】
電子書籍サイズ変換手段４は、電子書籍編集手段３で作成した電子書籍データをオリジナルのサイズとして、それより小さいサイズに各コンテンツを縮小する。ここでは電子書籍データを拡大電子書籍データ９とし、その３分の２のサイズを準拡大電子書籍データ８とし、拡大電子書籍データ９の３分の１のサイズを標準電子書籍データ６とし、拡大電子書籍データ９の９分の１のサイズを縮小電子書籍データ７として、縮小する。
【００５４】
この際に、電子書籍サイズ変換手段４は、単に電子書籍の幅、高さからなる大きさのみを縮小するのではなく、解像度も小さくして良い。これによって、電子書籍データのデータ量を減らすことも出来る。
【００５５】
更に電子書籍サイズ変換手段４は、サイズ変換をした各電子書籍データを、サーバからユーザのコンピュータ端末に早くダウンロードできるように、更に分割しても良い。例えば各コンテンツを４４ＫＢ（キロバイト）毎の大きさに分割すると良い。
【００５６】
このようにして作成された各電子書籍データを、所定のサーバにアップロードすることによって、閲覧者が閲覧可能になる。閲覧者は、電子書籍データを選択後、標準電子書籍データ６、準拡大電子書籍データ８、拡大電子書籍データ９が閲覧者の端末にダウンロードされる。又、縮小電子書籍データ７は、閲覧者が電子書籍データを選択する際のサムネイル表示として別途閲覧者の端末にダウンロードされると良い。
【００５７】
閲覧者の端末では最初に標準電子書籍データ６が表示される。そして当該標準電子書籍データ６のコンテンツで、閲覧者が拡大を選択すると、当該箇所の準拡大電子書籍データ８が閲覧者端末で表示する。準拡大電子書籍データ８のコンテンツで、閲覧者が更に拡大を選択すると、当該箇所の拡大電子書籍データ９が閲覧端末で表示される。
【００５８】
閲覧者が拡大を選択した位置の拡大表示は、閲覧者が標準サイズで閲覧し、その拡大を選択した場合、標準電子書籍データ６に於ける座標の２倍の座標を中心として表示する。例えば標準電子書籍データ６の（ｘ，ｙ）＝（１００，１００）の位置の拡大表示を選択した場合、標準電子書籍データ６は拡大電子書籍データ９の３分の１のサイズ、準拡大電子書籍データ８は拡大電子書籍データ９の３分の２のサイズであるので、表示すべき準拡大電子書籍データ８の該当箇所はその２倍の座標位置、即ち（ｘ，ｙ）＝（１００×２，１００×２）＝（２００，２００）の座標を中心として表示する。
【００５９】
又、準拡大電子書籍データ８（ｘ，ｙ）＝（２００，２００）の拡大表示を行う場合には、同様に１．５倍（＝１÷２／３倍）の座標位置、即ち（ｘ，ｙ）＝（２００×１．５，２００×１．５）＝（３００，３００）の座標を中心として表示する。
【００６０】
このようにオリジナルとして読み込んだ電子書籍データを、拡大した場合の電子書籍データとして用いることによって、滑らかに画像表示を実現することが出来る。尚、拡大電子書籍データ９を更に拡大したい場合には、当該箇所をソフトウェア処理として、従来と同様に拡大することによって実現する処理プロセスを行えばよい。
【００６１】
完成した電子書籍データのコンテンツの一部修正等を行う場合には、修正を行ったコンテンツをコンテンツ取込手段２から取り込み、それを電子書籍編集手段３で編集する。例えば上述の雑誌の電子書籍データの場合、基本コンテンツのうち、顔写真を映画のワンシーンの写真に変更する場合、上段が映画のワンシーンの写真になったコンテンツを、新たな基本コンテンツとして取り込む。この新たな基本コンテンツを図８に示す。
【００６２】
従来の電子書籍を作成するシステムの場合、このような変更を行うと、新たな基本コンテンツに動画データ、リンク先のＵＲＬ等の編集対象コンテンツを再度貼り付ける必要がある。
【００６３】
しかし本発明の場合、再編集をすることの情報を入力装置から電子書籍編集手段３で受信すると、当該再編集の対象となるコンテンツ位置ファイル５を読み出し、変更したコンテンツの位置データを更新する。例えば図４の基本コンテンツから図８の基本コンテンツに変更した場合、図５のコンテンツ位置ファイル５の基本コンテンツに関する情報を書き換え、図９のコンテンツ位置ファイル５のようにする。
【００６４】
つまり、コンテンツの位置データとして、ファイル名「基本コンテンツ」から「基本コンテンツ２」に変更することによって、基本コンテンツ２の原点からの相対座標に、ファイル名「ｍｏｖｉｅ１」の動画データ、「http://○○○○.co.jp」のリンクを自動的に貼り付けて、電子書籍データとして再構成する。
【００６５】
基本コンテンツ以外のコンテンツ、例えば動画データの内容を変更した場合もコンテンツ位置データファイルの動画データを変更すればよい。この状態の電子書籍データを図１０に示す。図９のコンテンツ位置ファイル５に対応する電子書籍データが図１０となる。
【００６６】
更に、コンテンツを貼り付ける領域を移動させる再編集の作業を行った場合も、コンテンツ位置データファイルの、基本コンテンツの原点からの相対座標（ｘ座標、ｙ座標）、幅、高さを変更するだけでよい。
【００６７】
例えば図９のコンテンツ位置データファイルを有するコンテンツのうち、動画データ「ｍｏｖｉｅ１」の貼り付けをやめ、動画データ「ｍｏｖｉｅ２」を基本コンテンツの原点から（ｘ，ｙ）＝（４００，５５０）の位置に貼り付け、その領域として、幅２００、高さ２００とした場合には、電子書籍編集手段３は、コンテンツ位置データファイルを図９から図１１に変更する。この場合の電子書籍データを図１２に示す。
【００６８】
このようにして再編集した電子書籍データを再度電子書籍サイズ変換手段４でサイズ変換をすれば、従来のように、コンテンツの貼り付け等を最初から行わずに、容易に編集することが出来る。
【００６９】
尚、上述した電子書籍作成システム１の処理の内容を記録した電子書籍作成プログラムが光ディスク等の記録媒体に記録され、それがコンピュータ端末に読み込まれることによって、電子書籍作成システム１を実現しても良い。又、当該電子書籍作成プログラムが所定のサーバからネットワークを介してコンピュータ端末にダウンロードされることでコンピュータ端末に読み込まれ、電子書籍作成システム１を実現しても良い。
【００７０】
この場合、電子書籍作成プログラムは、コンテンツ読込手段をコンピュータ端末で実行する機能（モジュールやプログラム。以下同様）と電子書籍編集手段３をコンピュータ端末で実行する機能と電子書籍サイズ変換手段４をコンピュータ端末で実行する機能とを有している。
【００７１】
この電子書籍作成プログラムを記録した記録媒体がコンピュータ端末にセットされ、それがコンピュータ端末に読み込まれることによって、上述の各機能がコンピュータ端末の処理演算部（ＣＰＵやレジスタ等の演算装置）や記憶部（メモリやキャッシュ、ハードディスク等）に読み込まれる。
【００７２】
コンテンツ読込手段は、電子書籍として用いる各種のコンテンツを読み込み、それをコンピュータ端末の記憶部に記憶する。そして処理演算部に読み込まれた電子書籍編集手段３は、記憶部に記憶した各種のコンテンツを読み出し、上述と同様に電子書籍データに編集する。この際に電子書籍データ、コンテンツ位置ファイル５は、記憶部に記憶する。
【００７３】
処理演算部に読み込まれた電子書籍サイズ変換手段４は、記憶部に記憶した電子書籍データを、複数のサイズに変換し、各サイズの電子書籍データ（拡大電子書籍データ９、準拡大電子書籍データ８、標準電子書籍データ６、縮小電子書籍データ７）を記憶部に記憶する。
【００７４】
この記憶部に記憶した各サイズの電子書籍データを、所定のサーバにアップロード（送信）することによって、各閲覧者が当該電子書籍データの閲覧を行うことが出来る。
【００７５】
電子書籍作成プログラムがネットワークからコンピュータ端末にダウンロードされた場合も、電子書籍作成プログラムが記録された記録媒体をコンピュータ端末で実行する場合と同様である。
【００７６】
本発明に於ける各手段は、その機能が論理的に区別されているのみであって、物理上あるいは事実上は同一の領域を為していても良い。又データベースの代わりにデータファイルであっても良いことは言うまでもなく、データベースとの記録にはデータファイルをも含んでいる。
【００７７】
尚、本発明を実施するにあたり本実施態様の機能を実現するソフトウェアのプログラムを記録した記憶媒体をシステムに供給し、そのシステムのコンピュータが記憶媒体に格納されたプログラムを読み出し実行することによって実現されることは当然である。
【００７８】
この場合、記憶媒体から読み出されたプログラム自体が前記した実施態様の機能を実現することとなり、そのプログラムを記憶した記憶媒体は本発明を当然のことながら構成することになる。
【００７９】
プログラムを供給する為の記憶媒体としては、例えば磁気ディスク、ハードディスク、光ディスク、光磁気ディスク、磁気テープ、不揮発性のメモリカード等を使用することができる。
【００８０】
又、コンピュータが読み出したプログラムを実行することにより、上述した実施態様の機能が実現されるだけではなく、そのプログラムの指示に基づき、コンピュータ上で稼働しているオペレーティングシステムなどが実際の処理の一部又は全部を行い、その処理によって前記した実施態様の機能が実現される場合も含まれることは言うまでもない。
【００８１】
更に、記憶媒体から読み出されたプログラムが、コンピュータに挿入された機能拡張ボードやコンピュータに接続された機能拡張ユニットに備わる不揮発性あるいは揮発性の記憶手段に書き込まれた後、そのプログラムの指示に基づき、機能拡張ボードあるいは機能拡張ユニットに備わる演算処理装置などが実際の処理の一部あるいは全部を行い、その処理により前記した実施態様の機能が実現される場合も含まれることは当然である。 
【産業上の利用可能性】
【００８２】
本発明により、電子書籍を作成する場合に作成者が修正作業等を行い易く、且つ、利用者が電子書籍のデジタルコンテンツを拡大表示した場合にも滑らかで綺麗な画像で表示することが可能な電子書籍を作成する電子書籍作成システム１が可能となる。
【図面の簡単な説明】
【００８３】
【図１】本発明のシステム構成の一例を示すシステム構成図である。
【図２】本発明の処理プロセスの流れの一例を示すフローチャート図である。
【図３】電子書籍を作成する処理プロセスの流れの一例を示すフローチャート図である。
【図４】基本コンテンツの一例を示す図である。
【図５】コンテンツ位置ファイルの一例を示す図である。
【図６】基本コンテンツに動画データを貼り付けた一例を示す図である。
【図７】図６に更にリンク先のＵＲＬを貼り付けた一例を示す図である。
【図８】新たな基本コンテンツを貼り付けた一例を示す図である。
【図９】編集後のコンテンツ位置ファイルの一例を示す図である。
【図１０】新たな基本コンテンツに修正した電子書籍データの一例を示す図である。
【図１１】新たな動画データに修正した一例を示す図である。
【図１２】図１０の動画データを修正した電子書籍データの一例を示す図である。
【符号の説明】
【００８４】
１：電子書籍作成システム
２：コンテンツ取込手段
３：電子書籍編集手段
４：電子書籍サイズ変換手段
５：コンテンツ位置ファイル
６：標準電子書籍データ
７：縮小電子書籍データ
８：準拡大電子書籍データ
９：拡大電子書籍データ
【手続補正書】
【提出日】平成19年4月10日(2007.4.10)
【手続補正１】
【補正対象書類名】特許請求の範囲
【補正対象項目名】全文
【補正方法】変更
【補正の内容】
【特許請求の範囲】
【請求項１】
電子書籍データを作成する電子書籍作成システムであって、
前記電子書籍作成システムは、
前記電子書籍データを作成する為の一又は複数のコンテンツを取り込むコンテンツ取込手段と、
前記取り込んだコンテンツから選択された少なくとも一つのコンテンツを基本コンテンツとし、そこに前記取り込んだコンテンツを編集対象コンテンツとして貼り付ける領域を確保することで電子書籍データを作成し、前記領域の位置情報と前記編集対象コンテンツのファイル名とを、コンテンツ位置ファイルとして出力する電子書籍編集手段と、
前記電子書籍編集手段において作成した電子書籍データについて、該電子書籍データを構成する各コンテンツの幅と高さからなる大きさを縮小することにより、該電子書籍データよりも小さな大きさの電子書籍データを複数生成し、生成したうちの一つの電子書籍データを、閲覧者の端末において最初に表示させる標準電子書籍データと設定して、前記生成した複数の電子書籍データを出力する電子書籍サイズ変換手段と、を有しており、
前記標準電子書籍データが前記閲覧者の端末で表示されている状態において、閲覧者から拡大表示の選択を受け付けると、その拡大表示を受け付けた位置が、前記標準電子書籍データよりも大きな大きさの電子書籍データのどの位置に対応するかの位置情報を算出した上で、その算出した位置情報を中心として、前記標準電子書籍データよりも大きな大きさの電子書籍データを、前記閲覧者の端末において表示させる、
ことを特徴とする電子書籍作成システム。
【請求項２】
前記電子書籍サイズ変換手段は、更に、
前記作成した電子書籍データの解像度も該電子書籍データよりも小さくして、複数の大きさの電子書籍データを生成する、
ことを特徴とする請求項１に記載の電子書籍作成システム。
【請求項３】
前記電子書籍編集手段は、
ユーザの利用する入力装置から前記電子書籍データの修正を行う旨の情報を受信した場合に、前記電子書籍データに対応する前記コンテンツ位置ファイルを読み出し、修正が行われたコンテンツの領域の位置情報とファイル名とを前記読み出したコンテンツ位置ファイルに更新して記録する、
ことを特徴とする請求項１に記載の電子書籍作成システム。
【請求項４】
前記コンテンツとして、静止画データ、動画データ、音楽データ、テキストデータ、アニメーションデータのうち、いずれか一以上を含む、
ことを特徴とする請求の範囲１に記載の電子書籍作成システム。
【請求項５】
データを記憶する記憶部とプログラムの処理を実行する処理演算部とを有するコンピュータ端末で実行する電子書籍作成プログラムであって、前記電子書籍作成プログラムは、コンテンツ取込機能と電子書籍編集機能と電子書籍サイズ変換機能とを有しており、
前記コンテンツ取込機能は、
前記電子書籍データを作成する為の一又は複数のコンテンツを取り込み、前記記憶部に記憶し、
前記電子書籍編集機能は、
前記記憶部に記憶したコンテンツから選択された少なくとも一つのコンテンツを基本コンテンツとし、そこに前記取り込んだコンテンツを編集対象コンテンツとして貼り付ける領域を確保することで電子書籍データを作成し前記記憶部に記憶し、前記領域の位置情報と前記編集対象コンテンツのファイル名とを、コンテンツ位置ファイルとして前記記憶部に記憶し、
前記電子書籍サイズ変換機能は、
前記電子書籍編集機能において作成した電子書籍データについて、該電子書籍データを構成する各コンテンツの幅と高さからなる大きさを縮小することにより、該電子書籍データよりも小さな大きさの電子書籍データを複数生成し、生成したうちの一つの電子書籍データを、閲覧者の端末において最初に表示させる標準電子書籍データと設定して、前記生成した複数の電子書籍データを出力する電子書籍作成プログラムであって、更に、
前記標準電子書籍データが前記閲覧者の端末で表示されている状態において、閲覧者から拡大表示の選択を受け付けると、その拡大表示を受け付けた位置が、前記標準電子書籍データよりも大きな大きさの電子書籍データのどの位置に対応するかの位置情報を算出した上で、その算出した位置情報を中心として、前記標準電子書籍データよりも大きな大きさの電子書籍データを、前記閲覧者の端末において表示させる、
ことを特徴とする電子書籍作成プログラム。
【請求項６】
データを記憶する記憶部とプログラムの処理を実行する処理演算部とを有するコンピュータ端末で実行する電子書籍作成プログラムを記録した記録媒体であって、前記電子書籍作成プログラムは、コンテンツ取込機能と電子書籍編集機能と電子書籍サイズ変換機能とを有しており、
前記コンテンツ取込機能は、
前記電子書籍データを作成する為の一又は複数のコンテンツを取り込み、前記記憶部に記憶し、
前記電子書籍編集機能は、
前記記憶部に記憶したコンテンツから選択された少なくとも一つのコンテンツを基本コンテンツとし、そこに前記取り込んだコンテンツを編集対象コンテンツとして貼り付ける領域を確保することで電子書籍データを作成し前記記憶部に記憶し、前記領域の位置情報と前記編集対象コンテンツのファイル名とを、コンテンツ位置ファイルとして前記記憶部に記憶し、
前記電子書籍サイズ変換機能は、
前記電子書籍編集機能において作成した電子書籍データについて、該電子書籍データを構成する各コンテンツの幅と高さからなる大きさを縮小することにより、該電子書籍データよりも小さな大きさの電子書籍データを複数生成し、生成したうちの一つの電子書籍データを、閲覧者の端末において最初に表示させる標準電子書籍データと設定して、前記生成した複数の電子書籍データを出力する電子書籍作成プログラムであって、更に、
前記標準電子書籍データが前記閲覧者の端末で表示されている状態において、閲覧者から拡大表示の選択を受け付けると、その拡大表示を受け付けた位置が、前記標準電子書籍データよりも大きな大きさの電子書籍データのどの位置に対応するかの位置情報を算出した上で、その算出した位置情報を中心として、前記標準電子書籍データよりも大きな大きさの電子書籍データを、前記閲覧者の端末において表示させる、
ことを特徴とする電子書籍作成プログラムを記録した記録媒体。
【手続補正２】
【補正対象書類名】明細書
【補正対象項目名】００１２
【補正方法】変更
【補正の内容】
【００１２】
請求項１の発明は、電子書籍データを作成する電子書籍作成システムであって、前記電子書籍作成システムは、前記電子書籍データを作成する為の一又は複数のコンテンツを取り込むコンテンツ取込手段と、前記取り込んだコンテンツから選択された少なくとも一つのコンテンツを基本コンテンツとし、そこに前記取り込んだコンテンツを編集対象コンテンツとして貼り付ける領域を確保することで電子書籍データを作成し、前記領域の位置情報と前記編集対象コンテンツのファイル名とを、コンテンツ位置ファイルとして出力する電子書籍編集手段と、前記電子書籍編集手段において作成した電子書籍データについて、該電子書籍データを構成する各コンテンツの幅と高さからなる大きさを縮小することにより、該電子書籍データよりも小さな大きさの電子書籍データを複数生成し、生成したうちの一つの電子書籍データを、閲覧者の端末において最初に表示させる標準電子書籍データと設定して、前記生成した複数の電子書籍データを出力する電子書籍サイズ変換手段と、を有しており、前記標準電子書籍データが前記閲覧者の端末で表示されている状態において、閲覧者から拡大表示の選択を受け付けると、その拡大表示を受け付けた位置が、前記標準電子書籍データよりも大きな大きさの電子書籍データのどの位置に対応するかの位置情報を算出した上で、その算出した位置情報を中心として、前記標準電子書籍データよりも大きな大きさの電子書籍データを、前記閲覧者の端末において表示させる、電子書籍作成システムである。
【手続補正３】
【補正対象書類名】明細書
【補正対象項目名】００２０
【補正方法】変更
【補正の内容】
【００２０】
請求項５の発明は、データを記憶する記憶部とプログラムの処理を実行する処理演算部とを有するコンピュータ端末で実行する電子書籍作成プログラムであって、前記電子書籍作成プログラムは、コンテンツ取込機能と電子書籍編集機能と電子書籍サイズ変換機能とを有しており、前記コンテンツ取込機能は、前記電子書籍データを作成する為の一又は複数のコンテンツを取り込み、前記記憶部に記憶し、前記電子書籍編集機能は、前記記憶部に記憶したコンテンツから選択された少なくとも一つのコンテンツを基本コンテンツとし、そこに前記取り込んだコンテンツを編集対象コンテンツとして貼り付ける領域を確保することで電子書籍データを作成し前記記憶部に記憶し、前記領域の位置情報と前記編集対象コンテンツのファイル名とを、コンテンツ位置ファイルとして前記記憶部に記憶し、前記電子書籍サイズ変換機能は、前記電子書籍編集機能において作成した電子書籍データについて、該電子書籍データを構成する各コンテンツの幅と高さからなる大きさを縮小することにより、該電子書籍データよりも小さな大きさの電子書籍データを複数生成し、生成したうちの一つの電子書籍データを、閲覧者の端末において最初に表示させる標準電子書籍データと設定して、前記生成した複数の電子書籍データを出力する電子書籍作成プログラムであって、更に、前記標準電子書籍データが前記閲覧者の端末で表示されている状態において、閲覧者から拡大表示の選択を受け付けると、その拡大表示を受け付けた位置が、前記標準電子書籍データよりも大きな大きさの電子書籍データのどの位置に対応するかの位置情報を算出した上で、その算出した位置情報を中心として、前記標準電子書籍データよりも大きな大きさの電子書籍データを、前記閲覧者の端末において表示させる、電子書籍作成プログラムである。
【手続補正４】
【補正対象書類名】明細書
【補正対象項目名】００２２
【補正方法】変更
【補正の内容】
【００２２】
請求項６の発明は、データを記憶する記憶部とプログラムの処理を実行する処理演算部とを有するコンピュータ端末で実行する電子書籍作成プログラムを記録した記録媒体であって、前記電子書籍作成プログラムは、コンテンツ取込機能と電子書籍編集機能と電子書籍サイズ変換機能とを有しており、前記コンテンツ取込機能は、前記電子書籍データを作成する為の一又は複数のコンテンツを取り込み、前記記憶部に記憶し、前記電子書籍編集機能は、前記記憶部に記憶したコンテンツから選択された少なくとも一つのコンテンツを基本コンテンツとし、そこに前記取り込んだコンテンツを編集対象コンテンツとして貼り付ける領域を確保することで電子書籍データを作成し前記記憶部に記憶し、前記領域の位置情報と前記編集対象コンテンツのファイル名とを、コンテンツ位置ファイルとして前記記憶部に記憶し、前記電子書籍サイズ変換機能は、前記電子書籍編集機能において作成した電子書籍データについて、該電子書籍データを構成する各コンテンツの幅と高さからなる大きさを縮小することにより、該電子書籍データよりも小さな大きさの電子書籍データを複数生成し、生成したうちの一つの電子書籍データを、閲覧者の端末において最初に表示させる標準電子書籍データと設定して、前記生成した複数の電子書籍データを出力する電子書籍作成プログラムであって、更に、前記標準電子書籍データが前記閲覧者の端末で表示されている状態において、閲覧者から拡大表示の選択を受け付けると、その拡大表示を受け付けた位置が、前記標準電子書籍データよりも大きな大きさの電子書籍データのどの位置に対応するかの位置情報を算出した上で、その算出した位置情報を中心として、前記標準電子書籍データよりも大きな大きさの電子書籍データを、前記閲覧者の端末において表示させる、電子書籍作成プログラムを記録した記録媒体である。
【国際調査報告】
2005101232.tif 000015
2005101232.tif 000016